(57)【特許請求の範囲】
【請求項１】
第１入力装置を備えた第１ユニットと、
第１表示装置を備えた第２ユニットと、
前記第１ユニットと前記第２ユニットとを互いに回動可能、且つスライド可能に接続する結合部と、
センサにより検出された前記結合部による回動又はスライドの状態に応じて、前記第１入力装置のキーの割り当てを自動的に制御する制御部とを具備し、
前記第１ユニットの平面形状と前記第２ユニットの平面形状は同一であり、
前記結合部のスライドにより、前記第１ユニットと前記第２ユニットとは互いの平面形状が一致する位置を取り、
前記第２ユニットは、前記結合部のスライドにより前記第１ユニットとずれた所定位置で固定され、
前記所定位置において、前記第１ユニットの前記第１入力装置の一部領域が露出し、
前記制御部は、
前記結合部のスライドにより前記第２ユニットと前記第１ユニットとの平面形状が一致する位置を取ったとき、前記第１入力装置に第１のキー割り当てを行い、
前記第２ユニットが前記所定位置に有るとき、前記第１入力装置の前記一部領域に第２のキー割り当てを行い、
前記第１のキー割り当てはアルファベット入力用であり、
前記第２のキー割り当ては数値入力用であり、
前記第２ユニットは、前記第１表示装置の反対面に第２表示装置を備え、
前記結合部は、前記第２表示装置により表示されるメニューのアイテムを選択することが可能な第２入力装置を備え、
前記制御部は、前記結合部の回動により前記第２ユニットが開かれたとき、前記第２入力装置の動作を停止し、
前記第２表示装置の表示領域にはタッチパネルが配置され、
前記第２ユニットが前記第１ユニットに対して前記結合部の回動により閉じられ、前記結合部のスライドにより平面形状が重なる状態に配置されたとき、前記第１表示装置と前記第１入力装置とは動作が停止され、前記第２表示装置、前記タッチパネル及び前記第２入力装置は起動され、
前記制御部は、前記第２ユニットが前記第１ユニットに対して前記結合部の回動により開かれ、前記結合部のスライドにより互いにずれた位置に配置されたとき、前記第１表示装置に表示された映像の視聴が妨げられないように、前記第１入力装置を入力を受け付けない状態に設定する
携帯通信端末装置。
【発明の詳細な説明】
【技術分野】
【０００１】
本発明は、携帯通信端末装置に関する。
【背景技術】
【０００２】
携帯電話機に代表される携帯通信端末装置には、音声通話、テレビ電話、カメラ、インターネット接続に使われるブラウザー、電子メール、放送電波の受信及び番組表示など様々な機能が搭載されている。これらの複数の機能には、各々に適した端末の形態がある。例えば折り畳み式、スライド式、一軸回転式、二軸回転式などの形態の携帯通信端末装置が知られている。
【０００３】
携帯通信端末装置の一例として、特許文献１には、第１筐体と第２筐体とのスライド動作と回転動作が可能な携帯機器が開示されている。
【特許文献１】特開２００６−３３２３３１号公報
【発明の開示】
【発明が解決しようとする課題】
【０００４】
端末の携帯性、１台の端末によって複数の機能を実行するための操作性や利便性について改善が求められている。
【課題を解決するための手段】
【０００５】
本発明の一実施例における携帯通信端末装置は、第１入力装置を備えた第１ユニットと、第１表示装置を備えた第２ユニットと、第１入力装置と第１表示装置とを互いに回動可能、且つスライド可能に接続する結合部と、結合部による回動又はスライドの状態に応じて、第１入力装置のキーの割り当てを制御する制御部とを備える。
【発明の効果】
【０００６】
本発明により、複数の機能を使い分けることが容易な携帯通信端末装置を提供することができる。
【発明を実施するための最良の形態】
【０００７】
以下、図面を参照しながら本発明を実施するための最良の形態について説明する。本実施の形態における携帯通信端末装置は、二つの長方形のユニットが互いに回転による開閉動作と、スライドによる伸展動作とを行うことができる。まず図１を参照して回転による開閉動作について説明し、次に図２を参照してスライドによる伸展動作について説明する。
【０００８】
図１は、携帯通信端末装置を示す。携帯端末装置は、通信機能（公衆電話回線網による通話、電子メール送受信、インターネット接続を含む）や放送受信機能を備え、プログラム制御により動作する携帯情報処理装置である。携帯通信端末装置は、第１ユニット１（第１筐体）と第２ユニット２（第２筐体）とを備える。図１（ａ）〜（ｅ）において、第１ユニット１と説明のために描かれた直交座標との方向関係は同一である。第１ユニット１は、ｚ軸方向を厚さ方向とし、ｘ軸方向に長い長方形の平面形状を有する略直方体である。第１ユニット１のｚ軸正方向側の面には第１操作部１０９が形成される。第１操作部１０９は、数値の入力を受け付けるテンキー、ローマ字入力などの文字入力を受け付けるＱＷＥＲＴＹキー、後述の第１表示部１０７に表示されるメニューからアイテムを選択するための選択／決定キーなどを含む。第１ユニット１の長手方向の一端（ｘ軸負方向の端部）の第１操作部１０９には、マイク１０５が配置される。
【０００９】
第２ユニット２は、第１ユニット１と略同一の平面形状を有する略直方体である。第１ユニット１の長辺（図１のｙ軸正方向側に位置するｘ軸に平行な長辺）と第２ユニット２の長辺とは結合部３によって結合する。第１ユニット１の内部回路の電気信号と第２ユニット２の内部回路の電気信号は結合部３を介して互いに送受信可能である。
【００１０】
第２ユニット２は、結合部３に設けられるｘ軸に平行な回転軸を中心として第１ユニット１に対して回動可能である。この回動により、携帯通信端末装置は開と閉の二状態のいずれかを択一的に取る。閉状態において、第１ユニット１と第２ユニット２とは折りたたまれ、ｚ軸方向から見たときに第１ユニット１と第２ユニット２とは重なる。
【００１１】
閉状態のとき第１操作部１０９と向き合う側の第２ユニット２の面には、液晶ディスプレイや有機ＥＬディスプレイに例示される表示装置である第１表示部１０７が設けられる。第１表示部１０７は、結合部３が設けられている側の第２ユニット２の長辺を下側として映像を表示する横長の表示画面を有する。閉状態において、第１操作部１０９と第１表示部１０７とは内側に畳まれ、ユーザからアクセスできない状態となる。
【００１２】
開状態のとき、第１表示部１０７は結合部３を中心に９０度以上の所定の角度で第１操作部１０９に対して開かれる。この状態でユーザは第１表示部１０７を見ることができ、第１操作部１０９に対して入力操作を行うことができる。
【００１３】
第２ユニット２の第１表示部１０７と反対側の面には、第２表示部１０８が設けられる。第２表示部１０８は液晶ディスプレイや有機ＥＬディスプレイに例示される表示装置である。第２表示部１０８には、ユーザが表示画面に触れることによる入力操作を受け付けるタッチパネルが形成される。第２表示部１０８が設けられる面には更に、長手方向（ｘ軸方向）の一端付近に、受話部（スピーカ）１０６が設けられる。
【００１４】
結合部３の側面（閉状態のときに第１操作部１０９、第１表示部１０７に対して垂直に向く面であり、第１ユニット１と第２ユニット２との厚さの合計を幅とする面）に、第２操作部１１０が設けられる。第２操作部１１０は、例えばダイヤルを回転させ押下することにより表示画面に表示されるメニューから所望のアイテムを選択する入力装置である。
【００１５】
図２は、携帯通信端末装置のスライド動作について説明するための図である。図２（ａ）、（ｂ）はスライドの伸展状態を、図２（ｃ）は非伸展状態を示す。いずれも図１において説明した回転動作については閉状態である。直交座標と第１ユニット１との方向関係は図１と同じである。
【００１６】
携帯通信端末装置は、結合部３の有するスライド機能において開けられた状態である伸展状態と、閉じられた状態である非伸展状態との二状態のいずれかを択一的に取る。非伸展状態であり、且つ図１で説明した回転動作の閉状態である場合は、図１の閉状態について説明したのと同じ状態である。非伸展状態においては、第１ユニット１と第２ユニットとは互いの平面形状が一致して重なり、合わせて一つの直方体形状となるように配置される。
【００１７】
伸展状態であり、且つ図１で説明した回転動作の閉状態においては、第２ユニット２が第１ユニット１に対して平行に、且つ第１ユニット１及び第２ユニットの長手方向にスライドする。その結果、正面方向（第１ユニット１のｚ軸正方向）から見たときに、第１操作部１０９の一部領域がユーザからアクセスできるように露出する。この第１操作部１０９の一部領域には、数値入力が可能なテンキーが配置される。第１操作部１０９のその他の領域にはＱＷＥＲＴＹ配列に例示されるアルファベット入力、かな文字等の文字入力用のキーが配置される。第１操作部１０９のその他の領域には、伸展且つ閉状態のときには第２ユニット２に覆われてユーザはアクセスできない。
【００１８】
伸展状態において、第２ユニット２のスライド動作の移動先と反対側の第１操作部１０９の端部（上記の一部領域の端部）には、マイク１０５が露出する。第２ユニット２のスピーカ１０６は、マイク１０５から遠い側の端部に位置する。伸展状態において、マイク１０５とスピーカ１０６は、ユーザがそれぞれ送話と受話に使用するために使いやすい距離に配置される。
【００１９】
図３は、本実施の形態における携帯通信端末装置の構成を示すブロック図である。携帯通信端末装置は、アンテナを介して図示しない無線基地局装置との間で携帯通信網の電波を送受信するための無線通信部１０１、放送局から送信されるＴＶ放送信号をアンテナを介して受信し、その受信した信号の復調による映像データ、音声データ、情報データ等の放送信号処理を行う放送受信部１０２、画像情報の取得（撮影）を行うカメラ部１０３、送話部（マイク１０５）及び受話部（スピーカ１０６）を介して入出力された音声信号の処理を行う音声処理部１０４、第１表示部１０７、第２表示部１０８、第１操作部１０９、第２操作部１１０、第１ユニット１と第２ユニットとの開閉を磁気／ホール素子、或いは凸部／押下スイッチによるセンサ（スライドセンサ１１２、開閉センサ１１３）により検出する状態検出部１１１、楽音や報知音などの鳴音出力を行うスピーカ１１４、電話帳情報、送受信メール情報、発着呼情報、コンテンツ情報、アプリケーションプログラム情報、撮影画像、及び携帯無線通信端末の諸設定等を格納する記憶部１１５、電話機能、メール機能、インターネット（ｗｅｂ）接続機能、カメラ機能、テレビ受信機能、コンテンツ再生機能、その他の端末の有する機能や各部の制御を行う制御部１１６を備える。第２操作部１１０は、第１ユニット１と第２ユニット２とが閉じた（縮退）状態、即ち図１（ｂ）、（ｃ）、（ｅ）に示された状態で、第２表示部１０８に表示されたメニュー等を選択するための入力操作を受け付ける。
【００２０】
次に、図４、図５を参照して、携帯通信端末装置の動作について説明する。本実施の形態における携帯通信端末装置は、第１ユニット１と第２ユニット２との開閉と、第１ユニット１と第２ユニット２との伸展に応じて、第２操作部１０９、第２表示部１０７の動作の有効／無効と、第１操作部１１０のキー割り当てが自動的に変更されるように制御される。図４は第２表示部１０７と第２操作部１１０の制御を示し、図５は第１操作部１０９の制御を示す。これらの制御は、状態検出部１１１が検出した携帯通信端末装置の状態に応じて、制御部１１６が記憶部１１５に格納された制御プログラムを読み込んで実行することにより実現される。
【００２１】
携帯通信端末装置が開状態、すなわち結合部３の回転動作において第２ユニット２が第１ユニット１に対して開かれた状態であると開閉センサ１１３が検知した場合（ステップＳ１０１Ｙｅｓ）、制御部１１６は、第２表示部１０８と第２操作部１１０とを無効にする。すなわち、第２表示部１０８の表示は消され、第２表示部１０８のタッチパネルによる入力操作が受け付けられず、第２操作部１１０がユーザの入力操作を受け付けないように設定される（ステップＳ１０５）。
【００２２】
携帯通信端末装置が開状態のときには、ユーザは第１表示部１０７、第１操作部１０９を使用することが想定される。このような場合、上記の制御によって第２表示部１０８の表示が消されることにより、不要な電力消費が抑えられ、また第２表示部１０８のタッチパネルをユーザが意図せずに触れることによる誤動作が避けられる。更に、第２操作部１１０に対する操作が無効とされることにより、ユーザが第２操作部１１０を意図せずに触れることに起因する誤入力が避けられる。
【００２３】
携帯通信端末装置が閉状態、すなわち結合部３の回転動作において第２ユニット２が第１ユニット１に対して閉じられた状態であると開閉センサ１１３が検知し（ステップＳ１０１Ｎｏ）、且つ、結合部３のスライド動作において第２ユニット２が第１ユニット１に対して伸展した状態であるとスライドセンサ１１２が検知した場合（ステップＳ１０２Ｙｅｓ、図２（ａ）、（ｂ）の状態）、制御部１１６は、第２表示部１０８を有効、第２操作部１１０を無効にする。すなわち、第２表示部１０８の表示画面に情報が表示され、第２表示部１０８のタッチパネルによる入力操作が受け付けられ、第２操作部１１０に対する入力操作は受け付けられないように設定される（ステップＳ１０４）。
【００２４】
携帯通信端末装置が閉状態でスライドされたときには、ユーザは第２表示部１０８の表示画面を見て、第２表示部１０８のタッチパネル入力を行うことが想定される。上記の制御では、こうした場合に、ユーザが意図せずに第２操作部１１０に触れることによる誤入力が避けられる。
【００２５】
携帯通信端末装置が閉状態（ステップＳ１０１Ｎｏ）、且つ、非伸展状態である場合（ステップＳ１０２Ｎｏ、図１（ｂ）、（ｃ）、（ｅ）の状態）、制御部１１６は、第２表示部１０８と第２操作部１１０とを有効にする。すなわち、第２表示部１０８の表示画面に情報が表示され、第２表示部１０８のタッチパネルによる入力操作が受け付けられ、第２操作部１１０に対する入力操作が受け付けられるように設定される（ステップＳ１０３）。
【００２６】
携帯通信端末装置が閉状態で非伸展状態のときは、ユーザは第２表示部１０８の表示画面を見て、第２表示部１０８のタッチパネルと第２操作部１１０による入力操作を行うことが想定される。上記の制御により、こうした操作が受け付けられる。
【００２７】
次に図５を参照して第１操作部１０９の制御を説明する。携帯通信端末装置が非伸展状態であるとスライドセンサ１１２が検出し（ステップＳ２０１Ｎｏ）、且つ、閉状態であると開閉センサ１１３が検出した場合、特に新たな制御は行われない。又は、この状態では第１表示部１０７が閉じてユーザからアクセスできないため、省電力のために第１表示部１０７の表示が消される。
【００２８】
携帯通信端末装置が非伸展状態であるとスライドセンサ１１２が検出し（ステップＳ２０１Ｎｏ）、且つ、開状態であると開閉センサ１１３が検出すると（ステップＳ２０２Ｙｅｓ）、制御部１１６は、第１操作部１０９をＱＷＥＲＴＹモードに設定する（ステップＳ２０３）。
【００２９】
携帯通信端末装置が非伸展状態で開状態のときには、ユーザは第１表示部１０７を見ながら第１操作部１０９を使用することが想定される。しかも、スライド伸展させた場合に比べて、第１操作部１０９が全開されるため、文字入力など、より複雑な入力機能を使うことが想定される。上記の動作により、ユーザはＱＷＥＲＴＹモードの入力装置を用いて、そうした複雑な入力を行うことができる。
【００３０】
携帯通信端末装置が伸展状態（ステップＳ２０１Ｙｅｓ）、且つ、閉状態のとき（ステップＳ２０４Ｎｏ）、制御部１１６は、第１操作部１０９を数値入力が可能なテンキーモードに設定する（ステップＳ２０５）。
【００３１】
携帯通信端末装置が伸展状態で閉状態のときは、ユーザは第２表示部１０８を見ながら第１操作部１０９のスライドによって露出した一部領域の入力装置（テンキーなど）を用いて入力操作を行うことが想定される。上記の動作によって、ユーザは自動的にテンキーモードに設定された入力装置を用いて入力操作を行うことができる。
【００３２】
ステップＳ２０３において設定されるＱＷＥＲＴＹキーボードのキーの一部が、ステップＳ２０５において設定されるテンキーを兼ねていてもよい。この場合、ステップＳ２０３において所定の英字に割り当てられるキーが、ステップＳ２０５においては所定の数字に割り当て直される。
【００３３】
携帯通信端末装置が伸展状態（ステップＳ２０１Ｙｅｓ）、且つ、開状態のとき（ステップＳ２０４Ｙｅｓ）、制御部１１６は、第１操作部１０９の入力を無効にする（ステップＳ２０６）。
【００３４】
ユーザは、放送受信部１０２が受信した放送番組や、記憶部１１５に格納された映像の視聴に専念したい場合、意図せずに携帯通信端末装置に触れて映像の視聴が妨げられることは避けられることが望まれる。上記の動作により、ユーザは映像の視聴に専念したい場合は、開状態で第２ユニット２をスライドさせることにより、入力操作をロックして、誤った操作により視聴が妨げられることを回避することができる。
【図面の簡単な説明】
【００３５】
【図１】携帯通信端末装置の回転による開閉動作を説明するための図である。
【図２】携帯通信端末装置のスライドによる伸展動作を説明するための図である。
【図３】携帯通信端末装置の構成を示すブロック図である。
【図４】第２表示部と第２操作部の動作を示す。
【図５】第１操作部の動作を示す。
【符号の説明】
【００３６】
１  第１ユニット
２  第２ユニット
１０１  無線通信部
１０２  放送受信部
１０３  カメラ部
１０４  音声処理部
１０５  マイク
１０６  スピーカ
１０７  第１表示部
１０８  第２表示部
１０９  第１操作部
１１０  第２操作部
１１１  状態検出部
１１２  スライドセンサ
１１３  開閉センサ
１１４  スピーカ
１１５  記憶部
１１６  制御部
【図１】
0005257833.tif 000002
【図２】
0005257833.tif 000003
【図３】
0005257833.tif 000004
【図４】
0005257833.tif 000005
【図５】
0005257833.tif 000006